(57)【特許請求の範囲】
【請求項１】
配線板部材差込み部が設けられた絶縁ハウジングと、
該絶縁ハウジング内に配列配置され、各々が固定部及び作動部を有するものとされる複数のコンタクトと、
上記絶縁ハウジングに回動可能に設けられて第１の静止位置と第２の静止位置とを選択的にとり、配線板部材が上記配線板部材差込み部を通じて上記絶縁ハウジング内に差し込まれたもとで、上記第１の静止位置から上記第２の静止位置に移行するとき、上記複数のコンタクトの夫々における作動部に、上記配線板部材に配列配置された複数の接続端子部のうちの対応するものに押圧接触して配線板部材を保持する接触保持状態をとらせ、上記第２の静止位置から上記第１の静止位置に移行するとき、上記複数のコンタクトの夫々における作動部を上記接触保持状態から解放するアクチュエータと、
を備えて成り、
上記複数のコンタクトが、上記固定部が上記絶縁ハウジングにおける平板状部に係合し、上記絶縁ハウジング内に配線板部材が差し込まれないとき、上記配線板部材差込み部側における各々の固定部と作動部との間の間隔もしくは上記絶縁ハウジングにおける平板状部と各々の作動部との間の間隔が実質的に同一となり、上記絶縁ハウジング内に配線板部材が差し込まれるとき、上記各々の作動部が該配線板部材に当接するものとして形成され、上記アクチュエータが、上記複数のコンタクトの各々の作動部を上記接続端子部に押圧当接させる状態をとる複数のカム部を備え、該複数のカム部のうちの上記複数のコンタクトのうちの一部のものにおける作動部に対応する第１のカム部と上記複数のコンタクトのうちの上記一部のもの以外のものにおける作動部に対応する第２のカム部とが形状を異にするものとされて、上記アクチュエータが上記第１の静止位置をとるもとで上記配線板部材差込み部を通じて配線板部材が上記絶縁ハウジング内に差し込まれるとき、上記第１のカム部が対応する作動部に当接して該作動部の変位を規制する状態をとるとともに、上記第２のカム部が対応する作動部に当接することなく該作動部の変位を許す状態をとり、上記差し込まれた配線板部材に対する上記複数のコンタクトのうちの一部のものにおける作動部による仮保持力と上記複数のコンタクトのうちの上記一部のもの以外のものにおける作動部による仮保持力との間に差を生じさせることを特徴とするコネクタ装置。
【請求項２】
配線板部材差込み部が設けられた絶縁ハウジングと、
該絶縁ハウジング内に配列配置され、各々が固定部及び作動部を有するものとされる複数のコンタクトと、
上記絶縁ハウジングに回動可能に設けられて第１の静止位置と第２の静止位置とを選択的にとり、配線板部材が上記配線板部材差込み部を通じて上記絶縁ハウジング内に差し込まれたもとで、上記第１の静止位置から上記第２の静止位置に移行するとき、上記複数のコンタクトの夫々における作動部に、上記配線板部材に配列配置された複数の接続端子部のうちの対応するものに押圧接触して配線板部材を保持する接触保持状態をとらせ、上記第２の静止位置から上記第１の静止位置に移行するとき、上記複数のコンタクトの夫々における作動部を上記接触保持状態から解放するアクチュエータと、
を備えて成り、
上記複数のコンタクトが、上記固定部が上記絶縁ハウジングにおける平板状部に係合し、上記絶縁ハウジング内に配線板部材が差し込まれないとき、上記配線板部材差込み部側における各々の固定部と作動部との間の間隔もしくは上記絶縁ハウジングにおける平板状部と各々の作動部との間の間隔が実質的に同一となり、上記絶縁ハウジング内に配線板部材が差し込まれるとき、上記各々の作動部が該配線板部材に当接するものとして形成され、上記アクチュエータが、上記複数のコンタクトの各々の作動部を上記接続端子部に押圧当接させる状態をとる複数のカム部を備え、上記複数のコンタクトにおける作動部に上記複数のカム部に対応する複数の係合部が夫々形成され、該複数の係合部のうちの上記複数のコンタクトのうちの一部のものにおける作動部に形成された第１の係合部と上記複数のコンタクトのうちの上記一部のもの以外のものにおける作動部に形成された第２の係合部とが形状を異にするものとされて、上記アクチュエータが上記第１の静止位置をとるもとで上記配線板部材差込み部を通じて配線板部材が上記絶縁ハウジング内に差し込まれるとき、上記第１の係合部が対応するカム部に当接して該第１の係合部が形成された作動部の変位を規制する状態をとるとともに、上記第２の係合部が対応するカム部に当接することなく該第２の係合部が形成された作動部の変位を許す状態をとり、上記差し込まれた配線板部材に対する上記複数のコンタクトのうちの一部のものにおける作動部による仮保持力と上記複数のコンタクトのうちの上記一部のもの以外のものにおける作動部による仮保持力との間に差を生じさせることを特徴とするコネクタ装置。
【請求項３】
上記複数のコンタクトのうちの一部のものと上記複数のコンタクトのうちの上記一部のもの以外のものとが交互に配されることを特徴とする請求項１または２に記載のコネクタ装置。
【請求項４】
上記複数のコンタクトのうちの一部のものが、上記複数のコンタクトの配列配置における両端部に配されることを特徴とする請求項１または２に記載のコネクタ装置。
【請求項５】
上記複数のコンタクトのうちの一部のものが、上記複数のコンタクトの配列配置における中央部にも配されることを特徴とする請求項４記載のコネクタ装置。
【請求項６】
上記複数のコンタクトのうちの一部のものが、上記複数のコンタクトの所定個数置きに配されることを特徴とする請求項１または２に記載のコネクタ装置。
【請求項７】
上記アクチュエータが、上記絶縁ハウジングにおける上記配線板部材差込み部が設けられた端部に対向する端部側に配置されたことを特徴とする請求項１から請求項６までのいずれかに記載のコネクタ装置。
【発明の詳細な説明】
【技術分野】
【０００１】
本願の特許請求の範囲に記載された発明は、フレキシブル印刷配線基板（ＦＰＣ）等の配線基板部材に設けられた接続端子部、あるいは、フレキシブルフラットケーブル（ＦＦＣ）に設けられた導体等を、他の配線基板部材等とされる他の電気部品に電気的に接続された状態とするためのコネクタ装置に関する。
【背景技術】
【０００２】
携帯電話機等の電子機器に実装される、比較的小型なフレキシブル印刷配線基板あるいはフレキシブルフラットケーブルは、各種の電気部品が取り付けられる主印刷配線基板への取付けが、当該主印刷配線基板に電気的接続がなされて固着されたコネクタ装置が用いられて行われるものとされることが多い。斯かるコネクタ装置は、フレキシブル印刷配線基板に設けられた接続端子部に接触する導電性のコンタクトを有していて、そのコンタクトを介して、フレキシブル印刷配線基板に設けられた接続端子部を主印刷配線基板に設けられた印刷配線部に電気的に接続する。
【０００３】
従来提案されているフレキシブル印刷配線基板の主印刷配線基板への取付けに用いられるコネクタ装置は、例えば、フレキシブル印刷配線基板が差し込まれる差込み部が設けられた絶縁ハウジングを有したものとされる。そして、その絶縁ハウジング内に配列配置されて設けられ、フレキシブル印刷配線基板が差込み部を通じて絶縁ハウジング内に差し込まれるとき、そのフレキシブル印刷配線基板に設けられた複数の接続端子部に夫々対応するものとなる複数のコンタクトと、絶縁ハウジングに回動可能に設けられ、複数のコンタクトの夫々に係合して、回動せしめられるとき複数のコンタクトの夫々における作動部を変位させる、複数のコンタクトに共通のアクチュエータとが備えられる。
【０００４】
複数のコンタクトの各々は、導電性の弾性材料で形成され、絶縁ハウジングに固定される部分である固定部と可動部とを有するものされる。そして、固定部は、主印刷配線基板に設けられた印刷配線部に電気的に接続され、また、可動部は、アクチュエータにより変位せしめられる作動部を構成する。
【０００５】
このようなコネクタ装置にあっては、絶縁ハウジング内に差込み部を通じてフレキシブル印刷配線基板が差し込まれたもとで、アクチュエータが所定の方向に回動せしめられると、当該アクチュエータが、複数のコンタクトの夫々における作動部を変位させて、各作動部に、フレキシブル印刷配線基板に設けられた複数の接続端子部のうちの対応するものに押圧接触するとともに、フレキシブル印刷配線基板を保持する状態をとらせる。また、複数のコンタクトの各々における作動部が、フレキシブル印刷配線基板に設けられた接続端子部に押圧接触して、フレキシブル印刷配線基板を保持する状態をとるもとで、アクチュエータが上述の所定の方向とは逆の方向に回動せしめられると、当該アクチュエータが、複数のコンタクトの夫々における作動部を変位させて、当該作動部を、フレキシブル印刷配線基板に設けられた接続端子部に押圧接触して、フレキシブル印刷配線基板を保持する状態から解放する（例えば、特許文献１参照。）。
【０００６】
斯かる特許文献１に示されるようなコネクタ装置においては、複数のコンタクトの夫々が、全体が「Ｈ」字状の板状部材とされている。斯かる「Ｈ」字状の板状部材における、連結部によって相互連結された一対のビーム部のうちの一方が固定部とされ、他方が作動部とされる。フレキシブル印刷配線基板が差込み部を通じて絶縁ハウジング内に差し込まれるときには、フレキシブル印刷配線基板における複数の接続端子部が設けられた部分が、複数のコンタクトの夫々における固定部と作動部との間に配され、フレキシブル印刷配線基板が複数のコンタクトによって仮保持された状態におかれる。
【０００７】
そして、アクチュエータが回動せしめられて、複数のコンタクトの夫々における作動部を変位させ、当該作動部に、フレキシブル印刷配線基板に設けられた複数の接続端子部のうちの対応するものに押圧接触して、フレキシブル印刷配線基板を固定部とで保持する状態をとらせる際には、複数のコンタクトの夫々において、作動部と固定部とが、フレキシブル印刷配線基板における複数の接続端子部が設けられた部分を挟持するものとされる。
【０００８】
また、特許文献１に示されるようなコネクタ装置と同様に、フレキシブル印刷配線基板が差し込まれる差込み部が設けられた絶縁ハウジング，絶縁ハウジング内に配列配置された複数のコンタクト、及び、絶縁ハウジングに回動可能に設けられたアクチュエータを備えた構成をとるもとで、絶縁ハウジング内の複数のコンタクトを、そのうちの一部のものが、絶縁ハウジングの差込み部側における作動部と固定部との間の間隔が比較的狭くなるように形成され、他のものが、絶縁ハウジングの差込み部側における作動部と固定部との間の間隔が比較的広くなるように形成されたものとし、その一部のコンタクトにおける作動部が、他のコンタクトにおける作動部より、絶縁ハウジングの差込み部内に突出する度合いが大となるようにされたコネクタ装置も提案されている（例えば、特許文献２参照。）。
【０００９】
斯かる特許文献２に示されるようなコネクタ装置にあっては、フレキシブル印刷配線基板が差込み部を通じて絶縁ハウジング内に差し込まれて、フレキシブル印刷配線基板における複数の接続端子部が設けられた部分が、複数のコンタクトの夫々における固定部と作動部との間に配されるとき、実質的に、絶縁ハウジングの差込み部側における作動部と固定部との間の間隔が比較的狭くなるように形成された一部のコンタクトによって、絶縁ハウジング内に差し込まれたフレキシブル印刷配線基板についての仮保持が行われる。即ち、絶縁ハウジング内に差し込まれたフレキシブル印刷配線基板に仮保持力を作用させるものが、実質的に、絶縁ハウジングの差込み部側における作動部と固定部との間の間隔が比較的狭くなるように形成された一部のコンタクトのみとされるのである。
【００１０】
【特許文献１】特開２００２−２７０２９０号公報（第３及び４頁、図１〜７）
【特許文献２】特開平１１−３０７１９８号公報（第２及び３頁、図１〜４）
【発明の開示】
【発明が解決しようとする課題】
【００１１】
上述のようなフレキシブル印刷配線基板の主印刷配線基板への取付けに用いられる従来のコネクタ装置にあっては、差し込まれたフレキシブル印刷配線基板は、絶縁ハウジング内に配列配置された複数のコンタクトの夫々における作動部と固定部との間に配され、当該複数のコンタクトにより仮保持される。従って、絶縁ハウジング内に差込み部を通じて差し込まれるフレキシブル印刷配線基板には、複数のコンタクトによる仮保持力が作用することになる。
【００１２】
このフレキシブル印刷配線基板に作用する複数のコンタクトによる仮保持力は、従来のコネクタ装置にあっては、アクチュエータが作用しない状態のもとにおける複数のコンタクトの夫々についての、絶縁ハウジングの差込み部側における作動部と固定部との間の間隔に応じたものとなる。即ち、複数のコンタクトの夫々が、絶縁ハウジングの差込み部側における作動部と固定部との間の間隔が比較的広くなるように形成される場合には、フレキシブル印刷配線基板に作用する各コンタクトによる仮保持力が比較的小とされ、また、複数のコンタクトの夫々が、絶縁ハウジングの差込み部側における作動部と固定部との間の間隔が比較的狭くなるように形成される場合には、フレキシブル印刷配線基板に作用する各コンタクトによる仮保持力が比較的大とされるのである。そして、複数のコンタクトの夫々が一旦絶縁ハウジング内に組み込まれた後においては、フレキシブル印刷配線基板に作用する各コンタクトによる仮保持力を調整することは困難とされる。
【００１３】
フレキシブル印刷配線基板が絶縁ハウジング内に差し込まれる際には、差し込まれたフレキシブル印刷配線基板が複数のコンタクトによりある程度確実に仮保持されることが望まれ、そのため、フレキシブル印刷配線基板に作用する各コンタクトによる仮保持力が比較的大とされる選択もなされる。しかしながら、前述の特許文献１に示されるようなコネクタ装置の場合、フレキシブル印刷配線基板に作用する各コンタクトによる仮保持力が比較的大とされる場合には、フレキシブル印刷配線基板の絶縁ハウジングへの差込みが、フレキシブル印刷配線基板に作用する各コンタクトによる仮保持力に抗して行われることになるので、特に、絶縁ハウジング内に配列配置される複数のコンタクトの数が多数とされるとき、フレキシブル印刷配線基板を絶縁ハウジング内に差し込むに際して、比較的大なる差込み力が要されることになり、そのため作業性の低下がまねかれるという不都合が生じる虞がある。
【００１４】
また、前述の特許文献２に示されるようなコネクタ装置の場合には、実質的に、絶縁ハウジングの差込み部側における作動部と固定部との間の間隔が比較的狭くなるように形成された一部のコンタクトのみが，絶縁ハウジング内に差し込まれたフレキシブル印刷配線基板に仮保持力を作用させるものとされるので、フレキシブル印刷配線基板に作用する仮保持力が比較的大とされる事態を回避することは可能とされる。しながら、特許文献２に示されるようなコネクタ装置にあっては、絶縁ハウジング内に、差込み部側における作動部と固定部との間の間隔が比較的狭くなるように形成されたコンタクトと差込み部側における作動部と固定部との間の間隔が比較的広くなるように形成されたコンタクトとが混在することになり、そのため、複数のコンタクトについての画像処理装置を利用した検査・管理等の確実かつ効率的な実施に支障がきたされ、コネクタ装置としての品質の管理が、煩雑になり、さらには、信頼性に欠けることになる虞もあるという不都合がもたらされる。
【００１５】
斯かる点に鑑み、本願の特許請求の範囲に記載された発明は、例えば、フレキシブル印刷配線基板の主印刷配線基板への取付けに用いられる、配線板部材差込み部が設けられた絶縁ハウジングと、その絶縁ハウジング内に配列配置されて設けられる複数のコンタクトと、絶縁ハウジングに回動可能に設けられて複数のコンタクトの夫々に係合し、回動操作されるとき複数のコンタクトの夫々における作動部を変位させるアクチュエータとを備えたコネクタ装置であって、フレキシブル印刷配線基板等の配線板部材を配線板部材差込み部を通じて絶縁ハウジング内に差し込むに際しての作業性の低下がまねかれず、しかも、複数のコンタクトについての画像処理装置を利用した検査・管理等の確実かつ効率的な実施に支障がきたされないことになるものを提供する。
【課題を解決するための手段】
【００１６】
本願の特許請求の範囲における請求項１及び請求項３から請求項７までのいずれかに記載された発明（以下、本願の第１の発明という。）に係るコネクタ装置は、配線板部材差込み部が設けられた絶縁ハウジングと、絶縁ハウジング内に配列配置され、各々が固定部及び作動部を有するものとされる複数のコンタクトと、絶縁ハウジングに回動可能に設けられて第１の静止位置と第２の静止位置とを選択的にとり、配線板部材が配線板部材差込み部を通じて絶縁ハウジング内に差し込まれたもとで、第１の静止位置から第２の静止位置に移行するとき、複数のコンタクトの夫々における作動部に、差し込まれた配線板部材に配列配置された複数の接続端子部のうちの対応するものに押圧接触して配線板部材を保持する接触保持状態をとらせ、第２の静止位置から第１の静止位置に移行するとき、複数のコンタクトの夫々における作動部を接触保持状態から解放するアクチュエータとを備えて成り、複数のコンタクトが、各々の固定部が絶縁ハウジングにおける平板状部に係合し、絶縁ハウジング内に配線板部材が差し込まれないとき、配線板部材差込み部側における各々の固定部と作動部との間の間隔もしくは上述の絶縁ハウジングにおける平板状部と各々の作動部との間の間隔が実質的に同一となり、絶縁ハウジング内に配線板部材が差し込まれるとき、各々の作動部が配線板部材に当接するものとして形成され、アクチュエータが、複数のコンタクトの各々の作動部を配線板部材の接続端子部に押圧当接させる状態をとる複数のカム部を備え、複数のカム部のうちの複数のコンタクトのうちの一部のものにおける作動部に対応する第１のカム部と複数のコンタクトのうちの一部のもの以外のものにおける作動部に対応する第２のカム部とが形状を異にするものとされて、アクチュエータが第１の静止位置をとるもとで配線板部材差込み部を通じて配線板部材が絶縁ハウジング内に差し込まれるとき、第１のカム部が対応する作動部に当接してその変位を規制する状態をとるとともに、第２のカム部が対応する作動部に当接することなくその変位を許す状態をとり、差し込まれた配線板部材に対する複数のコンタクトのうちの一部のものにおける作動部による仮保持力と複数のコンタクトのうちの一部のもの以外のものにおける作動部による仮保持力との間に差を生じさせることを特徴とするものとされる。
【００１７】
また、本願の特許請求の範囲における請求項２及び請求項３から請求項７までのいずれかに記載された発明（以下、本願の第２の発明という。）に係るコネクタ装置は、配線板部材差込み部が設けられた絶縁ハウジングと、絶縁ハウジング内に配列配置され、各々が固定部及び作動部を有するものとされる複数のコンタクトと、絶縁ハウジングに回動可能に設けられて第１の静止位置と第２の静止位置とを選択的にとり、配線板部材が配線板部材差込み部を通じて絶縁ハウジング内に差し込まれたもとで、第１の静止位置から第２の静止位置に移行するとき、複数のコンタクトの夫々における作動部に、配線板部材に配列配置された複数の接続端子部のうちの対応するものに押圧接触して配線板部材を保持する接触保持状態をとらせ、第２の静止位置から第１の静止位置に移行するとき、複数のコンタクトの夫々における作動部を接触保持状態から解放するアクチュエータとを備えて成り、複数のコンタクトが、固定部が絶縁ハウジングにおける平板状部に係合し、絶縁ハウジング内に配線板部材が差し込まれないとき、配線板部材差込み部側における各々の固定部と作動部との間の間隔もしくは上述の絶縁ハウジングにおける平板状部と各々の作動部との間の間隔が実質的に同一となり、絶縁ハウジング内に配線板部材が差し込まれるとき、各々の作動部が配線板部材に当接するものとして形成され、アクチュエータが、複数のコンタクトの各々の作動部を配線板部材の接続端子部に押圧当接させる状態をとる複数のカム部を備え、複数のコンタクトにおける作動部に複数のカム部に対応する複数の係合部が夫々形成され、複数の係合部のうちの複数のコンタクトのうちの一部のものにおける作動部に形成された第１の係合部と複数のコンタクトのうちの一部のもの以外のものにおける作動部に形成された第２の係合部とが形状を異にするものとされて、アクチュエータが第１の静止位置をとるもとで配線板部材差込み部を通じて配線板部材が絶縁ハウジング内に差し込まれるとき、第１の係合部が対応するカム部に当接してそれが形成された作動部の変位を規制する状態をとるとともに、第２の係合部が対応するカム部に当接することなくそれが形成された作動部の変位を許す状態をとり、差し込まれた配線板部材に対する複数のコンタクトのうちの一部のものにおける作動部による仮保持力と複数のコンタクトのうちの一部のもの以外のものにおける作動部による仮保持力との間に差を生じさせることを特徴とするものとされる。
【００１８】
上述のように構成される本願の第１または第２の発明に係るコネクタ装置にあっては、複数のコンタクトが、各々の固定部が絶縁ハウジングにおける平板状部に係合し、絶縁ハウジング内に配線板部材が差し込まれないとき、配線板部材差込み部側における各々の固定部と作動部との間の間隔もしくは上述の絶縁ハウジングにおける平板状部と各々の作動部との間の間隔が実質的に同一となり、絶縁ハウジング内に配線板部材が差し込まれるとき、各々の作動部が配線板部材に当接するものとして形成されるとともに、アクチュエータが、複数のコンタクトの各々の作動部を配線板部材の接続端子部に押圧当接させる状態をとる複数のカム部を備えたもとで、絶縁ハウジング内に配線板部材差込み部を通じて配線板部材が差し込まれ、アクチュエータが第１の静止位置から第２の静止位置へと移行せしめられるべく回動操作されると、第１の静止位置から第２の静止位置へと移行するアクチュエータが、絶縁ハウジング内に配列配置された複数のコンタクトの夫々に、コンタクトにおける作動部に対応するものとされたカム部により当該コンタクトにおける作動部を変位させることによって、絶縁ハウジング内に差し込まれた配線板部材に配列配置された複数の接続端子部のうちの対応するものに押圧接触して配線板部材を保持する接触保持状態をとらせる。また、その後、アクチュエータが第２の静止位置から第１の静止位置へと移行せしめられるべく回動操作されると、第２の静止位置から第１の静止位置へと移行するアクチュエータが、複数のコンタクトの夫々を、コンタクトにおける作動部に対応するものとされたカム部により当該コンタクトにおける作動部を変位させることによって、接触保持状態から解放する。
【００１９】
その際、絶縁ハウジング内に配線板部材差込み部を通じて配線板部材が差し込まれるとき、第１の静止位置をとるアクチュエータは、複数のコンタクトのうちの一部のものにおける作動部による、差し込まれた配線板部材に対する仮保持力と、複数のコンタクトのうちの上述の一部のもの以外のものにおける作動部による、差し込まれた配線板部材に対する仮保持力とを、例えば、前者に比して後者が小となるように、両者間に差が生じるものとなす。このような差し込まれた配線板部材に対する仮保持力の差は、アクチュエータに備えられた複数のカム部のうちの複数のコンタクトのうちの一部のものにおける作動部に対応する第１のカム部と複数のコンタクトのうちの上述の一部のもの以外のものにおける作動部に対応する第２のカム部とが形状を異にするものとされて、アクチュエータが第１の静止位置をとるもとで配線板部材差込み部を通じて配線板部材が絶縁ハウジング内に差し込まれるとき、第１のカム部が対応する作動部に当接してその変位を規制する状態をとるとともに、第２のカム部が対応する作動部に当接することなくその変位を許す状態をとることにより、または、複数のコンタクトにおける作動部にアクチュエータに備えられた複数のカム部に対応する複数の係合部が夫々形成され、複数の係合部のうちの複数のコンタクトのうちの一部のものにおける作動部に形成された第１の係合部と複数のコンタクトのうちの一部のもの以外のものにおける作動部に形成された第２の係合部とが形状を異にするものとされて、アクチュエータが第１の静止位置をとるもとで配線板部材差込み部を通じて配線板部材が絶縁ハウジング内に差し込まれるとき、第１の係合部が対応するカム部に当接してそれが形成された作動部の変位を規制する状態をとるとともに、第２の係合部が対応するカム部に当接することなくそれが形成された作動部の変位を許す状態をとることにより、その結果として生じるものとされる。
【００２０】
それにより、例えば、複数のコンタクトのうちの一部のものにおける作動部が、主として差し込まれた配線板部材に仮保持力を作用させるものとなり、絶縁ハウジング内に差し込まれた配線板部材に作用する仮保持力が、実質的に、複数のコンタクトのうちの一部のものにおける作動部のみによるものとされ、複数のコンタクトのうちの上述の一部のもの以外のものにおける作動部は、実質的に絶縁ハウジング内に差し込まれた配線板部材に対して仮保持力を作用させない状態におかれる。
【発明の効果】
【００２１】
上述のように、本願の特許請求の範囲に記載された発明に係るコネクタ装置によれば、絶縁ハウジング内に配列配置された複数のコンタクトが、各々の固定部が絶縁ハウジングにおける平板状部に係合し、絶縁ハウジング内に配線板部材が差し込まれないとき、配線板部材差込み部側における各々の固定部と作動部との間の間隔もしくは上述の絶縁ハウジングにおける平板状部と各々の作動部との間の間隔が実質的に同一となり、絶縁ハウジング内に配線板部材が差し込まれるとき、各々の作動部が配線板部材に当接するものとして形成されたもとで、絶縁ハウジング内に配線板部材差込み部を通じて配線板部材が差し込まれるとき、複数のコンタクトのうちの一部のものにおける作動部による、差し込まれた配線板部材に対する仮保持力と、複数のコンタクトのうちの上述の一部のもの以外のものにおける作動部による、差し込まれた配線板部材に対する仮保持力との間に差が生じるようにされ、例えば、複数のコンタクトのうちの一部のものにおける作動部が、主として差し込まれた配線板部材に仮保持力を作用させるものとされる。
【００２２】
従って、絶縁ハウジング内に配列配置される複数のコンタクトが多数とされる場合においても、例えば、差し込まれた配線板部材に対する仮保持力を実質的に作用させる作動部を有した、複数のコンタクトのうちの一部のものの数を、適宜選定することにより、差し込まれた配線板部材に作用する仮保持力を適正なものとなるように調整することができる。その結果、配線板部材を、配線板部材差込み部を通じて絶縁ハウジング内に、それに作用する複数のコンタクトによる仮保持力に抗して差し込むにあたり、比較的大なる差込み力が要されることになって、配線板部材を配線板部材差込み部を通じて絶縁ハウジング内に差し込むに際しての作業性の低下がまねかれるという事態は生じない。
【００２３】
また、複数のコンタクトが、各々の固定部が絶縁ハウジングにおける平板状部に係合し、絶縁ハウジング内に配線板部材が差し込まれないとき、配線板部材差込み部側における各々の固定部と作動部との間の間隔もしくは上述の絶縁ハウジングにおける平板状部と各々の作動部との間の間隔が実質的に同一となるものとして形成されていて、絶縁ハウジング内に配線板部材差込み部側における作動部と固定部との間の間隔もしくは絶縁ハウジングにおける平板状部と作動部との間の間隔が比較的狭くなるように形成されたコンタクトと、配線板部材差込み部側における作動部と固定部との間の間隔もしくは絶縁ハウジングにおける平板状部と作動部との間の間隔が比較的広くなるように形成されたコンタクトと、が混在することにはならないので、複数のコンタクトについての画像処理装置を利用した検査・管理等の確実かつ効率的な実施に支障がきたされることもない。
【発明を実施するための最良の形態】
【００２４】
本願の特許請求の範囲に記載された発明を実施するための最良の形態は、以下に述べられる実施例をもって説明される。
【実施例１】
【００２５】
図１及び図２は、本願の第１の発明に係るコネクタ装置の一例を、それに差し込まれる配線板部材とされるフレキシブル印刷配線基板の部分と共に示す。
【００２６】
図１及び図２において、本願の第１の発明に係るコネクタ装置の一例を成すコネクタ装置１０は、合成樹脂等の絶縁材料によって形成された絶縁ハウジング１１を備えており、絶縁ハウジング１１には、配線板部材差込み部１２が設けられている。この絶縁ハウジング１１には、例えば、フレキシブル印刷配線基板１３の一端部が、配線板部材を成すものとして、配線板部材差込み部１２を通じて、その内部に差し込まれる。
【００２７】
配線板部材差込み部１２を通じて絶縁ハウジング１１内に差し込まれるフレキシブル印刷配線基板１３の一端部には、各々が短冊形を成すものとされた導電性材料で成る複数の接続端子部１４が、配列配置されて設けられている。複数の接続端子部１４の夫々は、図示が省略された、フレキシブル印刷配線基板１３に設けられた印刷配線部に連結されている。
【００２８】
コネクタ装置１０の絶縁ハウジング１１内には、複数のコンタクト１５及び１６が交互に配列配置されている。これらの交互に配列配置された複数のコンタクト１５及び１６は、各々が、絶縁ハウジング１１に対するフレキシブル印刷配線基板１３の一端部の差込み及び抜出し方向に沿う方向に伸びるものとされ、フレキシブル印刷配線基板１３の一端部が配線板部材差込み部１２を通じて絶縁ハウジング１１内に差し込まれるとき、差し込まれたフレキシブル印刷配線基板１３の一端部に配列配置された複数の接続端子部１４に夫々対応する位置をとるものとされる。
【００２９】
複数のコンタクト１５の夫々は、図２における III-III線断面をあらわす図３に示されるように、弾性を有した導電性材料で形成された、全体が「Ｈ」字状を成す板状部材とされている。斯かるコンタクト１５における、連結部１７によって相互連結された一対のビーム部１８及び１９のうち、ビーム部１８が固定部とされ、ビーム部１９が変位可能な作動部とされている。そして、固定部を成すビーム部１８は、絶縁ハウジング１１における平板状部１１ａに係合して、その一端部１８ａが、絶縁ハウジング１１に設けられた配線板部材差込み部１２側の位置に置かれ、その他端部１８ｂが、コネクタ装置１０が固着された主基板２０に設けられた印刷配線部（図示が省略されている）に接続されたものとされている。また、作動部を成すビーム部１９は、その一端部１９ａが、絶縁ハウジング１１に設けられた配線板部材差込み部１２側の位置に置かれて、ビーム部１８の一端部１８ａに対向するものとされている。
【００３０】
また、複数のコンタクト１６の夫々も、図２における IV-IV線断面をあらわす図４に示されるように、弾性を有した導電性材料で形成された、全体が「Ｈ」字状を成す板状部材とされており、複数のコンタクト１５の夫々と同形状とされている。斯かるコンタクト１６においても、連結部２１によって相互連結された一対のビーム部２２及び２３のうち、ビーム部２２が固定部とされ、ビーム部２３が変位可能な作動部とされる。そして、固定部を成すビーム部２２は、絶縁ハウジング１１における平板状部１１ａに係合して、その一端部２２ａが、絶縁ハウジング１１に設けられた配線板部材差込み部１２側の位置に置かれ、その他端部２２ｂが、コネクタ装置１０が固着された主基板２０に設けられた印刷配線部（図示が省略されている）に接続されたものとされている。また、作動部を成すビーム部２３は、その一端部２３ａが、絶縁ハウジング１１に設けられた配線板部材差込み部１２側の位置に置かれて、ビーム部２２の一端部２２ａに対向するものとされている。
【００３１】
そして、フレキシブル印刷配線基板１３の一端部が配線板部材差込み部１２を通じて絶縁ハウジング１１内に差し込まれるときには、図５及び図６に示されるように、複数の接続端子部１４が配列配置されて設けられたフレキシブル印刷配線基板１３の一端部が、絶縁ハウジング１１内において、複数のコンタクト１５の夫々におけるビーム部１８とビーム部１９との間、及び、複数のコンタクト１６の夫々におけるビーム部２２とビーム部２３との間に配される。複数のコンタクト１５の夫々におけるビーム部１８とビーム部１９との間の間隔、及び、複数のコンタクト１６の夫々におけるビーム部２２とビーム部２３との間の間隔は、フレキシブル印刷配線基板１３の一端部の厚みより若干狭くなるようにされている。そして、斯かる際、複数のコンタクト１５及び１６は、フレキシブル印刷配線基板１３の一端部に設けられた複数の接続端子部１４に夫々対応するものとなる。
【００３２】
また、図１及び図２に示されるように、絶縁ハウジング１１には、それにおける配線板部材差込み部１２が設けられた端部に対向する端部側に配置されたアクチュエータ２５が、回動可能に備えられている。アクチュエータ２５は、絶縁ハウジング１１における複数のコンタクト１５及び１６の配列方向に伸びる細長い形状をしており、図２に示されるように、その長手方向における両端部の夫々に回動軸部２６が設けられている。そして、回動軸部２６が絶縁ハウジング１１に設けられた軸受凹部に係合しており、それによってアクチュエータ２５が、絶縁ハウジング１１に対して回動可能とされている。
【００３３】
アクチュエータ２５は、図１，図２及び図３〜図６に示されるような、絶縁ハウジング１１に対して起き上がった位置（コネクタ装置１０が固着された主基板２０に対して起き上がった位置）となる第１の静止位置と、後述される図９及び図１０に示されるような、絶縁ハウジング１１に対して伏した位置（コネクタ装置１０が固着された主基板２０に対して伏した位置）となる第２の静止位置とを、選択的にとる。そして、アクチュエータ２５に回動操作が加えられるとき、アクチュエータ２５が、第１の静止位置から第２の静止位置への移行、あるいは、第２の静止位置から第１の静止位置への移行を行うものとされる。
【００３４】
アクチュエータ２５には、図３に示されるような、各々が複数のコンタクト１５の夫々におけるビーム部１９の他端部１９ｂに係合するものとされる複数のカム部２７が設けられている。複数のカム部２７の各々は、第１の係合部２７ａと第２の係合部２７ｂとを有しており、アクチュエータ２５の回動変位に伴って変位する。
【００３５】
そして、カム部２７は、図３に示され、さらに、図７において実線により拡大図示されるように、アクチュエータ２５が第１の静止位置をとり、フレキシブル印刷配線基板１３が絶縁ハウジング１１内に差し込まれていないとき、その第２の係合部２７ｂを対応するコンタクト１５におけるビーム部１９の他端部１９ｂに当接させる。このとき、カム部２７の第２の係合部２７ｂは、対応するコンタクト１５におけるビーム部１９の他端部１９ｂに当接して、実質的に当該コンタクト１５におけるビーム部１９に押圧力を作用させることはないが、ビーム部１９の他端部１９ｂの図３及び図７における下方への変位を阻止する状態に置かれる。
【００３６】
また、アクチュエータ２５には、図４に示されるような、各々が複数のコンタクト１６の夫々におけるビーム部２３の他端部２３ｂに係合するものとされる複数のカム部２８も設けられている。複数のカム部２８の各々も、第１の係合部２８ａと第２の係合部２８ｂとを有しており、アクチュエータ２５の回動変位に伴って変位する。
【００３７】
そして、カム部２８は、図４に示され、さらに、図７において実線と破線とにより拡大図示されるように、アクチュエータ２５が第１の静止位置をとり、フレキシブル印刷配線基板１３が絶縁ハウジング１１内に差し込まれていないとき、その第２の係合部２８ｂを対応するコンタクト１６におけるビーム部２３の他端部２３ｂに当接させない。このとき、カム部２８の第２の係合部２８ｂは、対応するコンタクト１６におけるビーム部２３の他端部２３ｂとの間に所定の空隙を形成して、ビーム部２３の他端部２３ｂの図４及び図７における下方への変位を許容する状態に置かれる。即ち、カム部２８は、その第２の係合部２８ｂがカム部２７の第２の係合部２７ｂとは形状を異にするものとされているのであって、複数のカム部２７の夫々と複数のカム部２８の夫々とは、互いに形状を異にしていることになる。
【００３８】
上述のような複数のカム部２７及び複数のカム部２８は、交互に配列配置された複数のコンタクト１５及び複数のコンタクト１６に夫々対応するものとされているので、アクチュエータ２５にその長手方向に沿って交互に配列配置されて設けられていることになる。そして、複数のコンタクト１５の夫々と複数のコンタクト１６の夫々とは、同形状とされていることから、複数のコンタクト１５及び複数のコンタクト１６は、絶縁ハウジング１１内にフレキシブル印刷配線基板１３が差し込まれないとき、絶縁ハウジング１１に設けられた配線板部材差込み部１２側における各々の固定部を成すビーム部１８もしくは２２と作動部を成すビーム部１９もしくは２３との間の間隔が実質的に同一となるものとして、従って、絶縁ハウジング１１における平板状部１１ａと各々の作動部を成すビーム部１９もしくは２３との間の間隔が実質的に同一となるものとして形成されていることになる。
【００３９】
このようなもとで、図５及び図６に示されるように、フレキシブル印刷配線基板１３の一端部が絶縁ハウジング１１内に配線板部材差込み部１２を通じて差し込まれると、差し込まれたフレキシブル印刷配線基板１３の一端部は、複数のコンタクト１５の夫々におけるビーム部１８とビーム部１９との間及び複数のコンタクト１６の夫々におけるビーム部２２とビーム部２３との間に配される。このとき、複数のコンタクト１５の夫々におけるビーム部１８及び複数のコンタクト１６の夫々におけるビーム部２２が、各々の一端部１８ａ及び２２ａを、フレキシブル印刷配線基板１３の一端部における複数の接続端子部１４が配された面に対向する面に当接させ、また、複数のコンタクト１５の夫々におけるビーム部１９及び複数のコンタクト１６の夫々におけるビーム部２３が、各々の一端部１９ａ及び２３ａを、フレキシブル印刷配線基板１３の一端部における複数の接続端子部１４のうちの対応するものに当接させる。
【００４０】
そして、複数のコンタクト１５の夫々におけるビーム部１９は、その一端部１９ａが当接するフレキシブル印刷配線基板１３の一端部により、一端部１９ａが図５における上方に若干押し上げられ、それにより、図５において時計回り方向に回動して、他端部１９ｂを図５における下方に押し下げようとする状態に置かれる。しかしながら、図５に示され、さらに、図８において実線により拡大図示されるように、複数のコンタクト１５の夫々におけるビーム部１９の他端部１９ｂは、それに当接した対応するカム部２７の第２の係合部２７ｂによって、図５及び図８における下方への移動を阻止されている。そのため、複数のコンタクト１５の夫々におけるビーム部１９は、その他端部１９ｂを図５における下方に押し下げることも時計回り方向に回動することもなく、当該他端部１９ｂがカム部２７の第２の係合部２７ｂからの反力を受けるものとされ、その反力を、一端部１９ａを通じて、それが当接するフレキシブル印刷配線基板１３の一端部に伝える。
【００４１】
従って、複数のコンタクト１５の夫々におけるビーム部１９は、その一端部１９ａが絶縁ハウジング１１内に差し込まれたフレキシブル印刷配線基板１３の一端部に及ぼす図５における下方への押圧力が、他端部１９ｂが受けるカム部２７の第２の係合部２７ｂからの反力に応じたものとされ、絶縁ハウジング１１内に差し込まれたフレキシブル印刷配線基板１３の一端部を、当該押圧力をもって図５における下方に押圧し、フレキシブル印刷配線基板１３を仮保持する状態におかれる。即ち、複数のコンタクト１５の夫々におけるビーム部１９が、絶縁ハウジング１１内に差し込まれたフレキシブル印刷配線基板１３の一端部に、他端部１９ｂが受けるカム部２７の第２の係合部２７ｂからの反力に応じた仮保持力を作用させる状態に置かれるのである。
【００４２】
一方、複数のコンタクト１６の夫々におけるビーム部２３も、その一端部２３ａが当接するフレキシブル印刷配線基板１３の一端部により、一端部２３ａが図６における上方に若干押し上げられ、それにより、図６において時計方向に回動して、他端部２３ｂを図６における下方に押し下げようとする状態に置かれる。このとき、図４に示され、さらに、図７において実線と破線とにより拡大図示されるように、複数のコンタクト１６の夫々におけるビーム部２３の他端部２３ｂは、対応するカム部２８の第２の係合部２８ｂとの間に所定の空隙が形成される位置に置かれているので、図６に示され、さらに、図８において実線と破線とにより拡大図示されるように、対応するカム部２８の第２の係合部２８ｂに当接するまで、図６及び図８における下方へ移動することができるものとされている。そのため、複数のコンタクト１６の夫々におけるビーム部２３は、その他端部２３ｂを図６における下方に押し下げて時計回り方向に回動する。
【００４３】
従って、このとき、複数のコンタクト１６の夫々におけるビーム部２３は、その一端部２３ａが絶縁ハウジング１１内に差し込まれたフレキシブル印刷配線基板１３の一端部に及ぼす図６における下方への押圧力が極めて小であって、フレキシブル印刷配線基板１３を僅かに仮保持するといえる状態、あるいは、実施的に、フレキシブル印刷配線基板１３を仮保持することにはならない状態におかれる。即ち、複数のコンタクト１６の夫々におけるビーム部２３は、絶縁ハウジング１１内に差し込まれたフレキシブル印刷配線基板１３の一端部に、複数のコンタクト１５の夫々による仮保持力に比して極めて小なる仮保持力を作用させる状態、あるいは、実質的に仮保持力を作用させるとは言えない状態に置かれるのである。
【００４４】
このようにして、アクチュエータ２５が第１の静止位置をとるもとで、フレキシブル印刷配線基板１３の一端部が絶縁ハウジング１１内に配線板部材差込み部１２を通じて差し込まれると、複数のコンタクト１５の夫々が、差し込まれたフレキシブル印刷配線基板１３の一端部に所定の仮保持力を作用させるものとされ、複数のコンタクト１６の夫々は、差し込まれたフレキシブル印刷配線基板１３の一端部に、複数のコンタクト１５の夫々による仮保持力に比して極めて小なる仮保持力を作用させるに過ぎないもの、あるいは、実質的に仮保持力を作用させるとは言えないものとされる。その結果、アクチュエータ２５が第１の静止位置をとるもとで、絶縁ハウジング１１内に差し込まれるフレキシブル印刷配線基板１３に、それを仮保持するに足る仮保持力を作用させるものは、実質的に複数のコンタクト１５であるということになる。
【００４５】
複数のコンタクト１５が、アクチュエータ２５が第１の静止位置をとるもとで絶縁ハウジング１１内に差し込まれるフレキシブル印刷配線基板１３に作用させる仮保持力は、複数のコンタクト１５の数に応じた大きさを有することになる。従って、複数のコンタクト１５の数を適宜選定することにより、アクチュエータ２５が第１の静止位置をとるもとで絶縁ハウジング１１内に差し込まれるフレキシブル印刷配線基板１３に作用させる仮保持力を調整することができる。
【００４６】
続いて、フレキシブル印刷配線基板１３の一端部が絶縁ハウジング１１内に配線板部材差込み部１２を通じて差し込まれたもとで、アクチュエータ２５が、それに対する回動操作により回動せしめられて、第１の静止位置から図９及び図１０に示される第２の静止位置に移行すると、複数のコンタクト１５の夫々におけるビーム部１９及び複数のコンタクト１６の夫々におけるビーム部２３が、絶縁ハウジング１１内に差し込まれたフレキシブル印刷配線基板１３の一端部に設けられた複数の接続端子部１４のうちの対応するものに夫々押圧接触して、フレキシブル印刷配線基板１３を保持する接触保持状態をとるものとされる。
【００４７】
斯かる際においては、アクチュエータ２５の第１の静止位置から第２の静止位置に移行する回動に伴って、アクチュエータ２５に交互に設けられた複数のカム部２７及び複数のカム部２８の夫々が、第１の係合部２７ａもしくは２８ａ及び第２の係合部２７ｂもしくは２８ｂを変位させる。
【００４８】
このとき、複数のカム部２７の夫々は、図９に示され、さらに、図１１において実線により拡大図示されるように、その第１の係合部２７ａを、複数のコンタクト１５のうちの対応するものにおけるビーム部１９の他端部１９ｂに設けられた凹部に係合させて、当該コンタクト１５におけるビーム部１９の他端部１９ｂを図９及び図１１における上方に変位させる。それにより、複数のカム部２７の夫々は、複数のコンタクト１５のうちの対応するものにおけるビーム部１９に、その一端部１９ａをもって、絶縁ハウジング１１内に差し込まれたフレキシブル印刷配線基板１３の一端部に設けられた複数の接続端子部１４のうちの対応するものに押圧接触して、フレキシブル印刷配線基板１３を保持する接触保持状態をとらせる。斯かるコンタクト１５におけるビーム部１９がとる接触保持状態は、コンタクト１５におけるビーム部１９の一端部１９ａが接続端子部１４に押圧接触せしめられるとともに、接続端子部１４が設けられたフレキシブル印刷配線基板１３の一端部が、コンタクト１５におけるビーム部１９の一端部１９ａとビーム部１８の一端部１８ａとにより挟持されることによりとられる。
【００４９】
また、複数のカム部２８の夫々は、図１０に示され、さらに、図１１において実線と破線とにより拡大図示されるように、その第１の係合部２８ａを、複数のコンタクト１６のうちの対応するものにおけるビーム部２３の他端部２３ｂに設けられた凹部に係合させて、当該コンタクト１６におけるビーム部２３の他端部２３ｂを図１０及び図１１における上方に変位させる。それにより、複数のカム部２８の夫々は、複数のコンタクト１６のうちの対応するものにおけるビーム部２３に、その一端部２３ａをもって、絶縁ハウジング１１内に差し込まれたフレキシブル印刷配線基板１３の一端部に設けられた複数の接続端子部１４のうちの対応するものに押圧接触して、フレキシブル印刷配線基板１３を保持する接触保持状態をとらせる。斯かるコンタクト１６におけるビーム部２３がとる接触保持状態は、コンタクト１６におけるビーム部２３の一端部２３ａが接続端子部１４に押圧接触せしめられるとともに、接続端子部１４が設けられたフレキシブル印刷配線基板１３の一端部が、コンタクト１６におけるビーム部２３の一端部２３ａとビーム部２２の一端部２２ａとにより挟持されることによりとられる。
【００５０】
図９及び図１０に示されるように、フレキシブル印刷配線基板１３の一端部が絶縁ハウジング１１内に配線板部材差込み部１２を通じて差し込まれたもとで第２の静止位置をとるものとされたアクチュエータ２５は、必要に応じて、回動操作により第２の静止位置から第１の静止位置に移行すべく回動せしめられる。斯かる際の回動操作は、勿論、第１の静止位置から第２の静止位置に移行すべく回動せしめられるときの回動操作とは逆方向のものとされる。
【００５１】
第２の静止位置から第１の静止位置に移行する回動を行うアクチュエータ２５は、絶縁ハウジング１１内に交互に配列配置されて設けられた複数のコンタクト１５及び複数のコンタクト１６の夫々におけるビーム部１９もしくは２３を、フレキシブル印刷配線基板１３の一端部に配列配置されて設けられた複数の接続端子部１４のうちの対応するものに押圧接触して、フレキシブル印刷配線基板１３を保持する接触保持状態から解放する。斯かる解放に際しては、アクチュエータ２５の第２の静止位置から第１の静止位置に移行する回動に伴って、アクチュエータ２５に設けられた複数のカム部２７の夫々が、その第１の係合部２７ａに、複数のコンタクト１５のうちの対応するものにおけるビーム部１９の他端部１９ｂに設けられた凹部との非係合状態をとらせるとともに、その第２の係合部２７ｂに、複数のコンタクト１５のうちの対応するものにおけるビーム部１９の他端部１９ｂに当接する状態をとらせ、また、アクチュエータ２５に設けられた複数のカム部２８の夫々が、その第１の係合部２８ａに、複数のコンタクト１６のうちの対応するものにおけるビーム部２３の他端部２３ｂに設けられた凹部との非係合状態をとらせるとともに、その第２の係合部２８ｂに、複数のコンタクト１６のうちの対応するものにおけるビーム部２３の他端部２３ｂとの間に所定の空隙が形成される位置をとらせる。
【００５２】
上述の本願の第１の発明に係るコネクタ装置の一例においては、絶縁ハウジング１１内において複数のコンタクト１５と複数のコンタクト１６とが交互に配列配置されているが、複数のコンタクト１５及び複数のコンタクト１６は、交互に配されなくてはならないというものではない。例えば、絶縁ハウジング１１内に配列配置された複数のコンタクトのうちの、当該配列の両端部に配されるもの，両端部及び中央部に配されるもの、あるいは、所定個数置きに配されるものが複数のコンタクト１５を成すものとされ、残りのものが複数のコンタクト１６を成すものとされてもよい。その際には、複数のコンタクト１５に夫々対応する複数のカム部２７及び複数のコンタクト１６に夫々対応する複数のカム部２８のアクチュエータ２５における配置態様も、複数のコンタクト１５及び複数のコンタクト１６の配置態様に夫々応じたものとされる。
【００５３】
さらに、本願の第１の発明に係るコネクタ装置の一例を成すコネクタ装置１０にあっては、絶縁ハウジング１１に対して回動可能とされるアクチュエータ２５に、互いに形状を異にするカム部２７とカム部２８との二種類が複数個ずつ設けられているが、これはあくまで一例であって、本発明に係るコネクタ装置にあっては、アクチュエータ２５に設けられる複数のカム部が、形状を異にする三種以上のカム部を含むものとされてもよい。その際には、絶縁ハウジング１１内に配列配置されて設けられる複数のコンタクトが、アクチュエータ２５が第１の静止位置をとるもとで絶縁ハウジング１１内に差し込まれるフレキシブル印刷配線基板１３の一端部に作用させる仮保持力が、三段階以上に分けられるものとされる。
【実施例２】
【００５４】
図１２から図２３は、本願の第２の発明に係るコネクタ装置の一例を、それに差し込まれる配線板部材とされるフレキシブル印刷配線基板の部分と共に示す。
【００５５】
図１２から図２３に示される本願の第２の発明に係るコネクタ装置の一例を成すコネクタ装置３０は、前述の図１から図１１に示される本願の第１の発明に係るコネクタ装置の一例を成すコネクタ装置１０と同様に構成された部分を多く有しており、コネクタ装置１０における各部に対応するコネクタ装置３０における部分及び部材については、コネクタ装置１０と共通の符号を付して示し、それらについての重複説明を省略する。
【００５６】
コネクタ装置３０は、コネクタ装置１０において、複数のコンタクト１５及び複数のコンタクト１６を複数のコンタクト３１及び複数のコンタクト３２に夫々置き換えるとともに、複数のカム部２７及び複数のカム部２８を複数のカム部４０に置き換えたものに相当するものとして構成される。そして、複数のコンタクト３１の夫々と複数のコンタクト３２の夫々とは、部分的形状を異にするものとして形成され、また、複数のカム部４０は、全て同一形状を有するものとして設けられる。
【００５７】
コネクタ装置１０の場合と同様に、コネクタ装置３０は主基板２０に固着されており、また、コネクタ装置３０における絶縁ハウジング１１内には、それに設けられた配線基板差込み部１２を通じて、フレキシブル印刷配線基板１３の一端部が差し込まれる。そのフレキシブル印刷配線基板１３の一端部には、複数の接続端子部１４が配列配置されて設けられている。
【００５８】
コネクタ装置３０の絶縁ハウジング１１内には、前述のコネクタ装置１０における複数のコンタクト１５及び複数のコンタクト１６に夫々相当する複数のコンタクト３１（図１２）及び複数のコンタクト３２（図１３）が交互に配列配置されている。これらの交互に配列配置された複数のコンタクト３１及び複数のコンタクト３２は、各々が、絶縁ハウジング１１に対するフレキシブル印刷配線基板１３の一端部の差込み及び抜出し方向に沿う方向に伸びるものとされ、フレキシブル印刷配線基板１３の一端部が配線板部材差込み部１２を通じて絶縁ハウジング１１内に差し込まれるとき、差し込まれたフレキシブル印刷配線基板１３の一端部に配列配置された複数の接続端子部１４に夫々対応する位置をとるものとされている。
【００５９】
複数のコンタクト３１の夫々は、図１２に示されるように、弾性を有した導電性材料で形成された、全体が「Ｈ」字状を成す板状部材とされている。斯かるコンタクト３１における、連結部３３によって相互連結された一対のビーム部３４及び３５のうち、ビーム部３４が固定部とされ、ビーム部３５が変位可能な作動部とされている。そして、固定部を成すビーム部３４は、絶縁ハウジング１１における平板状部１１ａに係合して、その一端部３４ａが、絶縁ハウジング１１に設けられた配線板部材差込み部１２側の位置に置かれ、その他端部３４ｂが、コネクタ装置３０が固着された主基板２０に設けられた印刷配線部（図示が省略されている）に接続されたものとされている。また、作動部を成すビーム部３５は、その一端部３５ａが、絶縁ハウジング１１に設けられた配線板部材差込み部１２側の位置に置かれて、ビーム部３４の一端部３４ａに対向するものとされており、その他端部３５ｂが、突出係合部３５ｃが形成されて、ビーム部３４の他端部３４ｂに対向するものとされている。
【００６０】
また、複数のコンタクト３２の夫々も、図１３に示されるように、弾性を有した導電性材料で形成された、全体が「Ｈ」字状を成す板状部材とされている。斯かるコンタクト３２においても、連結部３６によって相互連結された一対のビーム部３７及び３８のうち、ビーム部３７が固定部とされ、ビーム部３８が変位可能な作動部とされる。そして、固定部を成すビーム部３７は、絶縁ハウジング１１における平板状部１１ａに係合して、その一端部３７ａが、絶縁ハウジング１１に設けられた配線板部材差込み部１２側の位置に置かれ、その他端部３７ｂが、コネクタ装置１０が固着された主基板２０に設けられた印刷配線部（図示が省略されている）に接続されたものとされている。また、作動部を成すビーム部３８は、その一端部３８ａが、絶縁ハウジング１１に設けられた配線板部材差込み部１２側の位置に置かれて、ビーム部３７の一端部３７ａに対向するものとされており、その他端部３８ｂが、突出係合部３８ｃが形成されて、ビーム部３７の他端部３７ｂに対向するものとされている。
【００６１】
このような複数のコンタクト３１の夫々及び複数のコンタクト３２の夫々にあっては、前者の作動部を成すビーム部３５の他端部３５ｂに形成された突出係合部３５ｃと後者の作動部を成すビーム部３８の他端部３８ｂに形成された突出係合部３８ｃとが、図１４及び図１５に夫々拡大図示されるように、互いに形状を異にするものとされている。しかしながら、複数のコンタクト３１の夫々におけるビーム部３５の他端部３５ｂに形成された突出係合部３５ｃ以外の部分と複数のコンタクト３２の夫々におけるビーム部３８の他端部３８ｂに形成された突出係合部３８ｃ以外の部分とは同形状とされていて、それにより、複数のコンタクト３１及び複数のコンタクト３２は、絶縁ハウジング１１内にフレキシブル印刷配線基板１３が差し込まれないとき、絶縁ハウジング１１に設けられた配線板部材差込み部１２側における各々の固定部を成すビーム部３４もしくは３７と作動部を成すビーム部３５もしくは３８との間の間隔が実質的に同一となるものとして、従って、絶縁ハウジング１１における平板状部１１ａと各々の作動部を成すビーム部３５もしくは３８との間の間隔が実質的に同一となるものとして形成されていることになる。
【００６２】
そして、フレキシブル印刷配線基板１３の一端部が配線板部材差込み部１２を通じて絶縁ハウジング１１内に差し込まれるときには、図１６及び図１７に示されるように、複数の接続端子部１４が配列配置されて設けられたフレキシブル印刷配線基板１３の一端部が、絶縁ハウジング１１内において、複数のコンタクト３１の夫々におけるビーム部３４とビーム部３５との間、及び、複数のコンタクト３２の夫々におけるビーム部３７とビーム部３８との間に配される。その際、複数のコンタクト３１及び３２は、フレキシブル印刷配線基板１３の一端部に設けられた複数の接続端子部１４に夫々対応するものとなる。
【００６３】
また、図１２〜図１７の夫々に示されるように、絶縁ハウジング１１における配線板部材差込み部１２が設けられた端部に対向する端部側に配置され、絶縁ハウジング１１に対して回動可能とされたアクチュエータ２５には、複数のコンタクト３１の夫々におけるビーム部３５の他端部３５ｂ及び複数のコンタクト３２の夫々におけるビーム部３８の他端部３８ｂに夫々係合するものとされる複数のカム部４０が設けられている。複数のカム部４０は、全て同一形状を成すものとされて、複数のコンタクト３１及び複数のコンタクト３２に夫々対応すべく配置されており、各々が第１の係合部４０ａと第２の係合部４０ｂとを有していて、アクチュエータ２５の回動変位に伴って変位する。
【００６４】
このようなもとで、図１２に示され、さらに、図１４において拡大図示されるように、アクチュエータ２５が第１の静止位置をとり、フレキシブル印刷配線基板１３が絶縁ハウジング１１内に差し込まれていないとき、複数のコンタクト３１の夫々は、そのビーム部３５の他端部３５ｂに形成された突出係合部３５ｃを、アクチュエータ２５に設けられた複数のカム部４０のうちの対応するものの第２の係合部４０ｂに当接させるものとされる。このとき、複数のコンタクト３１の夫々におけるビーム部３５の他端部３５ｂに形成された突出係合部３５ｃは、それが当接した対応するカム部４０の第２の係合部４０ｂによって、図１２及び図１４における下方への変位が阻止される状態に置かれる。
【００６５】
また、図１３に示され、さらに、図１５において拡大図示されるように、アクチュエータ２５が第１の静止位置をとり、フレキシブル印刷配線基板１３が絶縁ハウジング１１内に差し込まれていないとき、複数のコンタクト３２の夫々は、そのビーム部３８の他端部３８ｂに形成された突出係合部３８ｃが、アクチュエータ２５に設けられた複数のカム部４０のうちの対応するものの第２の係合部４０ｂとの間に所定の空隙が形成される位置に置かれるものとされる。このとき、複数のコンタクト３２の夫々におけるビーム部３８の他端部３８ｂに形成された突出係合部３８ｃは、対応するカム部４０の第２の係合部４０ｂに当接するまで、図１３及び図１５における下方への変位が許容される状態に置かれる。
【００６６】
次に、図１６及び図１７に示されるように、フレキシブル印刷配線基板１３の一端部が絶縁ハウジング１１内に配線板部材差込み部１２を通じて差し込まれると、差し込まれたフレキシブル印刷配線基板１３の一端部は、前述のように、複数のコンタクト３１の夫々におけるビーム部３４とビーム部３５との間及び複数のコンタクト３２の夫々におけるビーム部３７とビーム部３８との間に配される。このとき、複数のコンタクト３１の夫々におけるビーム部３４及び複数のコンタクト３２の夫々におけるビーム部３７が、各々の一端部３４ａ及び３７ａを、フレキシブル印刷配線基板１３の一端部における複数の接続端子部１４が配された面に対向する面に当接させ、また、複数のコンタクト３１の夫々におけるビーム部３５及び複数のコンタクト３２の夫々におけるビーム部３８が、各々の一端部３５ａ及び３８ａを、フレキシブル印刷配線基板１３の一端部における複数の接続端子部１４のうちの対応するものに当接させる。
【００６７】
そして、複数のコンタクト３１の夫々におけるビーム部３５は、その一端部３５ａが当接するフレキシブル印刷配線基板１３の一端部により、一端部３５ａが図１６における上方に若干押し上げられ、それにより、図１６において時計回り方向に回動して、他端部３５ｂに形成された突出係合部３５ｃを図１６における下方に押し下げようとする状態に置かれる。しかしながら、図１６に示され、さらに、図１８において拡大図示されるように、複数のコンタクト３１の夫々におけるビーム部３５の他端部３５ｂに形成された突出係合部３５ｃは、それが当接した対応するカム部４０の第２の係合部４０ｂによって、図１６及び図１８における下方への移動を阻止されている。そのため、複数のコンタクト３１の夫々におけるビーム部３５は、その他端部３５ｂに形成された突出係合部３５ｃを図１６における下方に押し下げることも時計回り方向に回動することもなく、当該他端部３５ｂに形成された突出係合部３５ｃがカム部４０の第２の係合部４０ｂからの反力を受けるものとされ、その反力を、一端部３５ａを通じて、それが当接するフレキシブル印刷配線基板１３の一端部に伝える。
【００６８】
従って、複数のコンタクト３１の夫々におけるビーム部３５は、その一端部３５ａが絶縁ハウジング１１内に差し込まれたフレキシブル印刷配線基板１３の一端部に及ぼす図１６における下方への押圧力が、他端部３５ｂに設けられた突出係合部３５ｃが受けるカム部４０の第２の係合部４０ｂからの反力に応じたものとされ、絶縁ハウジング１１内に差し込まれたフレキシブル印刷配線基板１３の一端部を、当該押圧力をもって図１６における下方に押圧し、フレキシブル印刷配線基板１３を仮保持する状態におかれる。即ち、複数のコンタクト３１の夫々におけるビーム部３５が、絶縁ハウジング１１内に差し込まれたフレキシブル印刷配線基板１３の一端部に、他端部３５ｂに形成された突出係合部３５ｃが受けるカム部４０の第２の係合部４０ｂからの反力に応じた仮保持力を作用させる状態に置かれるのである。
【００６９】
一方、複数のコンタクト３２の夫々におけるビーム部３８も、その一端部３８ａが当接するフレキシブル印刷配線基板１３の一端部により、一端部３８ａが図１７における上方に若干押し上げられ、それにより、図１７において時計方向に回動して、他端部３８ｂに形成された突出係合部３８ｃを図１７における下方に押し下げようとする状態に置かれる。このとき、図１３に示され、さらに、図１５において拡大図示されるように、複数のコンタクト３２の夫々におけるビーム部３５の他端部３５ｂに形成された突出係合部３８ｃは、対応するカム部４０の第２の係合部４０ｂとの間に所定の空隙が形成される位置に置かれているので、図１７に示され、さらに、図１９において拡大図示されるように、対応するカム部４０の第２の係合部４０ｂに当接するまで、図１７及び図１９における下方へ移動することができるものとされている。そのため、複数のコンタクト３２の夫々におけるビーム部３８は、その他端部３８ｂに形成された突出係合部３８ｃを図１７における下方に押し下げて時計回り方向に回動する。
【００７０】
従って、このとき、複数のコンタクト３２の夫々におけるビーム部３８は、その一端部３８ａが絶縁ハウジング１１内に差し込まれたフレキシブル印刷配線基板１３の一端部に及ぼす図１７における下方への押圧力が極めて小であって、フレキシブル印刷配線基板１３を僅かに仮保持するといえる状態、あるいは、実質的に、フレキシブル印刷配線基板１３を仮保持することにはならない状態におかれる。即ち、複数のコンタクト３２の夫々におけるビーム部３８は、絶縁ハウジング１１内に差し込まれたフレキシブル印刷配線基板１３の一端部に、複数のコンタクト３１の夫々による仮保持力に比して極めて小なる仮保持力を作用させる状態、あるいは、実質的に仮保持力を作用させるとは言えない状態に置かれるのである。
【００７１】
このようにして、アクチュエータ２５が第１の静止位置をとるもとで、フレキシブル印刷配線基板１３の一端部が絶縁ハウジング１１内に配線板部材差込み部１２を通じて差し込まれると、複数のコンタクト３１の夫々が、差し込まれたフレキシブル印刷配線基板１３の一端部に所定の仮保持力を作用させるものとされ、複数のコンタクト３２の夫々は、差し込まれたフレキシブル印刷配線基板１３の一端部に、複数のコンタクト３１の夫々による仮保持力に比して極めて小なる仮保持力を作用させるに過ぎないもの、あるいは、実質的に仮保持力を作用させるとは言えないものとされる。その結果、アクチュエータ２５が第１の静止位置をとるもとで、絶縁ハウジング１１内に差し込まれるフレキシブル印刷配線基板１３に、それを仮保持するに足る仮保持力を作用させるものは、実質的に複数のコンタクト３１であるということになる。
【００７２】
複数のコンタクト３１が、アクチュエータ２５が第１の静止位置をとるもとで絶縁ハウジング１１内に差し込まれるフレキシブル印刷配線基板１３に作用させる仮保持力は、複数のコンタクト３１の数に応じた大きさを有することになる。従って、複数のコンタクト３１の数を適宜選定することにより、アクチュエータ２５が第１の静止位置をとるもとで絶縁ハウジング１１内に差し込まれるフレキシブル印刷配線基板１３に作用させる仮保持力を調整することができる。
【００７３】
続いて、フレキシブル印刷配線基板１３の一端部が絶縁ハウジング１１内に配線板部材差込み部１２を通じて差し込まれたもとで、アクチュエータ２５が、それに対する回動操作により回動せしめられて、第１の静止位置から図２０及び図２１に示される第２の静止位置に移行すると、複数のコンタクト３１の夫々におけるビーム部３５及び複数のコンタクト３２の夫々におけるビーム部３８が、絶縁ハウジング１１内に差し込まれたフレキシブル印刷配線基板１３の一端部に設けられた複数の接続端子部１４のうちの対応するものに夫々押圧接触して、フレキシブル印刷配線基板１３を保持する接触保持状態をとるものとされる。
【００７４】
斯かる際においては、アクチュエータ２５の第１の静止位置から第２の静止位置に移行する回動に伴って、アクチュエータ２５に交互に設けられた複数のカム部４０の夫々が、第１の係合部４０ａ及び第２の係合部４０ｂを変位させる。
【００７５】
このとき、複数のカム部４０のうちの複数のコンタクト３１に夫々対応するものの夫々は、図２０に示され、さらに、図２２において拡大図示されるように、その第１の係合部４０ａを、複数のコンタクト３１のうちの対応するものにおけるビーム部３５の他端部３５ｂに設けられた凹部に係合させて、当該コンタクト３１におけるビーム部３５の他端部３５ｂを図２０及び図２２における上方に変位させる。それにより、複数のコンタクト３１に夫々対応する複数のカム部４０の各々は、複数のコンタクト３１のうちの対応するものにおけるビーム部３５に、その一端部３５ａをもって、絶縁ハウジング１１内に差し込まれたフレキシブル印刷配線基板１３の一端部に設けられた複数の接続端子部１４のうちの対応するものに押圧接触して、フレキシブル印刷配線基板１３を保持する接触保持状態をとらせる。斯かるコンタクト３１におけるビーム部３５がとる接触保持状態は、コンタクト３１におけるビーム部３５の一端部３５ａが接続端子部１４に押圧接触せしめられるとともに、接続端子部１４が設けられたフレキシブル印刷配線基板１３の一端部が、コンタクト３１におけるビーム部３５の一端部３５ａとビーム部３４の一端部３４ａとにより挟持されることによりとられる。
【００７６】
また、複数のカム部４０のうちの複数のコンタクト３２に夫々対応するものの夫々は、図２１に示され、さらに、図２３において拡大図示されるように、その第１の係合部４０ａを、複数のコンタクト３２のうちの対応するものにおけるビーム部３８の他端部３８ｂに設けられた凹部に係合させて、当該コンタクト３２におけるビーム部３８の他端部３８ｂを図２１及び図２３における上方に変位させる。それにより、複数のコンタクト３２に夫々対応する複数のカム部４０の各々は、複数のコンタクト３２のうちの対応するものにおけるビーム部３８に、その一端部３８ａをもって、絶縁ハウジング１１内に差し込まれたフレキシブル印刷配線基板１３の一端部に設けられた複数の接続端子部１４のうちの対応するものに押圧接触して、フレキシブル印刷配線基板１３を保持する接触保持状態をとらせる。斯かるコンタクト３２におけるビーム部３８がとる接触保持状態は、コンタクト３２におけるビーム部３８の一端部３８ａが接続端子部１４に押圧接触せしめられるとともに、接続端子部１４が設けられたフレキシブル印刷配線基板１３の一端部が、コンタクト３２におけるビーム部３８の一端部３８ａとビーム部３７の一端部３７ａとにより挟持されることによりとられる。
【００７７】
図２０及び図２１に示されるように、フレキシブル印刷配線基板１３の一端部が絶縁ハウジング１１内に配線板部材差込み部１２を通じて差し込まれたもとで第２の静止位置をとるものとされたアクチュエータ２５は、必要に応じて、回動操作により第２の静止位置から第１の静止位置に移行すべく回動せしめられる。斯かる際の回動操作は、勿論、第１の静止位置から第２の静止位置に移行すべく回動せしめられるときの回動操作とは逆方向のものとされる。
【００７８】
第２の静止位置から第１の静止位置に移行する回動を行うアクチュエータ２５は、絶縁ハウジング１１内に交互に配列配置されて設けられた複数のコンタクト３１及び複数のコンタクト３２の夫々におけるビーム部３５もしくは３８を、フレキシブル印刷配線基板１３の一端部に配列配置されて設けられた複数の接続端子部１４のうちの対応するものに押圧接触して、フレキシブル印刷配線基板１３を保持する接触保持状態から解放する。斯かる解放に際しては、アクチュエータ２５の第２の静止位置から第１の静止位置に移行する回動に伴って、アクチュエータ２５に設けられた複数のカム部４０のうちの複数のコンタクト３１に夫々対応するものの各々が、その第１の係合部４０ａに、複数のコンタクト３１のうちの対応するものにおけるビーム部３５の他端部３５ｂに設けられた凹部との非係合状態をとらせるとともに、その第２の係合部４０ｂに、複数のコンタクト３１のうちの対応するものにおけるビーム部３５の他端部３５ｂに形成された突出係合部３５ｃに当接する状態をとらせ、また、アクチュエータ２５に設けられた複数のカム部４０のうちの複数のコンタクト３２に夫々対応するものの各々が、その第１の係合部４０ａに、複数のコンタクト３２のうちの対応するものにおけるビーム部３８の他端部３８ｂに設けられた凹部との非係合状態をとらせるとともに、その第２の係合部４０ｂに、複数のコンタクト３２のうちの対応するものにおけるビーム部３８の他端部３８ｂに形成された突出係合部３８ｃとの間に所定の空隙が形成される位置をとらせる。
【００７９】
上述の本願の第２の発明に係るコネクタ装置の一例においては、絶縁ハウジング１１内において複数のコンタクト３１と複数のコンタクト３２とが交互に配列配置されているが、複数のコンタクト３１及び複数のコンタクト３２は、交互に配されなくてはならないというものではない。例えば、絶縁ハウジング１１内に配列配置された複数のコンタクトのうちの、当該配列の両端部に配されるもの，両端部及び中央部に配されるもの、あるいは、所定個数置きに配されるものが複数のコンタクト３１を成すものとされ、残りのものが複数のコンタクト３２を成すものとされてもよい。
【００８０】
さらに、本願の第２の発明に係るコネクタ装置の一例を成すコネクタ装置３０にあっては、絶縁ハウジング１１内に、互いに形状を異にするコンタクト３１とコンタクト３２との二種類が複数個ずつ設けられているが、これはあくまで一例であって、本発明に係るコネクタ装置にあっては、絶縁ハウジング１１内に配列配置されて設けられる複数のコンタクトが、形状を異にする三種以上のコンタクトを含むものとされてもよい。その際には、絶縁ハウジング１１内に配列配置されて設けられる複数のコンタクトが、アクチュエータ２５が第１の静止位置をとるもとで絶縁ハウジング１１内に差し込まれるフレキシブル印刷配線基板１３の一端部に作用させる仮保持力が、三段階以上に分けられるものとされる。
【産業上の利用可能性】
【００８１】
以上のような本願の特許請求の範囲に記載された発明に係るコネクタ装置は、例えば、フレキシブル印刷配線基板の主基板への取付けに用いられる複数のコンタクトと、それらに係合し、回動操作されるとき複数のコンタクトの夫々における作動部を変位させる回動操作部と、を備えたコネクタ装置であって、フレキシブル印刷配線基板等を配線板部材差込み部を通じて絶縁ハウジング内に差し込むに際しての作業性の低下がまねかれず、しかも、複数のコンタクトについての画像処理装置を利用した検査・管理等の確実かつ効率的な実施に支障がきたされないことになるものとして、様々な電子機器等に広く適用され得るものである。
【図面の簡単な説明】
【００８２】
【図１】本願の第１の発明に係るコネクタ装置の一例を、それに差し込まれるフレキシブル印刷配線基板の一部と共に示す斜視図である。
【図２】本願の第１の発明に係るコネクタ装置の一例を、それに差し込まれるフレキシブル印刷配線基板の一部と共に示す平面図である。
【図３】本願の第１の発明に係るコネクタ装置の一例の構成及び動作の説明に供される断面図である。
【図４】本願の第１の発明に係るコネクタ装置の一例の構成及び動作の説明に供される断面図である。
【図５】本願の第１の発明に係るコネクタ装置の一例の構成及び動作の説明に供される断面図である。
【図６】本願の第１の発明に係るコネクタ装置の一例の構成及び動作の説明に供される断面図である。
【図７】本願の第１の発明に係るコネクタ装置の一例の構成及び動作の説明に供される部分拡大断面図である。
【図８】本願の第１の発明に係るコネクタ装置の一例の構成及び動作の説明に供される部分拡大断面図である。
【図９】本願の第１の発明に係るコネクタ装置の一例の構成及び動作の説明に供される断面図である。
【図１０】本願の第１の発明に係るコネクタ装置の一例の構成及び動作の説明に供される断面図である。
【図１１】本願の第１の発明に係るコネクタ装置の一例の構成及び動作の説明に供される部分拡大断面図である。
【図１２】本願の第２の発明に係るコネクタ装置の一例の構成及び動作の説明に供される断面図である。
【図１３】本願の第２の発明に係るコネクタ装置の一例の構成及び動作の説明に供される断面図である。
【図１４】本願の第２の発明に係るコネクタ装置の一例の構成及び動作の説明に供される部分拡大断面図である。
【図１５】本願の第２の発明に係るコネクタ装置の一例の構成及び動作の説明に供される部分拡大断面図である。
【図１６】本願の第２の発明に係るコネクタ装置の一例の構成及び動作の説明に供される断面図である。
【図１７】本願の第２の発明に係るコネクタ装置の一例の構成及び動作の説明に供される断面図である。
【図１８】本願の第２の発明に係るコネクタ装置の一例の構成及び動作の説明に供される部分拡大断面図である。
【図１９】本願の第２の発明に係るコネクタ装置の一例の構成及び動作の説明に供される部分拡大断面図である。
【図２０】本願の第２の発明に係るコネクタ装置の一例の構成及び動作の説明に供される断面図である。
【図２１】本願の第２の発明に係るコネクタ装置の一例の構成及び動作の説明に供される断面図である。
【図２２】本願の第２の発明に係るコネクタ装置の一例の構成及び動作の説明に供される部分拡大断面図である。
【図２３】本願の第２の発明に係るコネクタ装置の一例の構成及び動作の説明に供される部分拡大断面図である。
【符号の説明】
【００８３】
１０，３０・・・コネクタ装置，  １１・・・絶縁ハウジング，  １２・・・配線板部材差込み部，  １３・・・フレキシブル印刷配線基板，  １４・・・接続端子部，  １５，１６，３１，３２・・・コンタクト，  １７，２１，３３，３６・・・連結部，  １８，１９，２２，２３，３４，３５，３７，３８・・・ビーム部，  ２０・・・主基板，  ２５・・・アクチュエータ，  ２６・・・回動軸部，  ２７，２８，４０・・・カム部，  ２７ａ，２８ａ，４０ａ・・・第１の係合部，  ２７ｂ，２８ｂ，４０ｂ・・・第２の係合部，  ３５ｃ，３８ｃ・・・突出係合部
【図１】
0004725996.tif 000002
【図２】
0004725996.tif 000003
【図３】
0004725996.tif 000004
【図４】
0004725996.tif 000005
【図５】
0004725996.tif 000006
【図６】
0004725996.tif 000007
【図７】
0004725996.tif 000008
【図８】
0004725996.tif 000009
【図９】
0004725996.tif 000010
【図１０】
0004725996.tif 000011
【図１１】
0004725996.tif 000012
【図１２】
0004725996.tif 000013
【図１３】
0004725996.tif 000014
【図１４】
0004725996.tif 000015
【図１５】
0004725996.tif 000016
【図１６】
0004725996.tif 000017
【図１７】
0004725996.tif 000018
【図１８】
0004725996.tif 000019
【図１９】
0004725996.tif 000020
【図２０】
0004725996.tif 000021
【図２１】
0004725996.tif 000022
【図２２】
0004725996.tif 000023
【図２３】
0004725996.tif 000024